Podtech/llm-jp-corpus-v4-ja_patent huggingface dataset:
(57)【要約】【課題】  廃棄物の溶融に関して、高温にして溶けやすいものだけを「溶かした物」は粘性が高く、流動性が悪いために、「溶けにくい物」や「異物」は、半溶融状態のままで、完全に溶けた物に混入し、混合状態となって出てくるため、スラグ等の再利用（再資源化）が困難である。【解決手段】  事前に一般ごみや産業廃棄物の灰の組成や、溶融物の組成を推定し、その組成が最終的にＣａＯ／ＳｉＯ２が０．１５から１．４５となる様にＣａＯ系やＳｉＯ２系、ＭｇＯ系やＡｌ２Ｏ３系の「溶融補助資源」を追加投入して、溶けやすくコントロール調整を行う。【選択図】図１
2007117976.tif 000002
【特許請求の範囲】
【請求項１】
一般ごみや産業廃棄物の灰の組成や、溶融物の組成を推定し、その組成が最終的にＣａＯ／ＳｉＯ２が０．１５から１．４５となる様にＣａＯ系やＳｉＯ２系、ＭｇＯ系やＡｌ２Ｏ３系の「溶融補助資源」を追加投入して、溶けやすくコントロール調整をする廃棄物溶融方法。
【請求項２】
例えば、建築廃材のアスベストを溶融する場合、アスベストの主組成のＳｉＯ２系とＭｇＯ系にＣａＯ系の石灰石などの「溶融補助資源」を追加投入し、ＣａＯ／ＳｉＯ２が０．１５以上となる溶融物を生成させる廃棄物溶融方法。
【請求項３】
また、例えば、建築廃材の石こうを溶融する場合、石こうの主組成ＣａＯ系にＳｉＯ２系の硅石やガラスビンを「溶融補助資源」を追加投入し、ＣａＯ／ＳｉＯ２が１．４５以下となる様にし、溶けやすい廃棄物溶融を行う廃棄物溶融方法。
【発明の詳細な説明】
【技術分野】
【０００１】  本発明は一般ごみや産業ごみなどの廃棄物の完全溶融方法に関する。
【背景技術】
【０００２】  従来の一般ごみや産業ごみなどの廃棄物の溶融は、ただ単に、高温にして、溶けやすい微細な灰などを「溶かす」だけであった。【０００３】  しかし、溶けやすいものだけを「溶かした物」は粘性が高く、流動性が悪いために、「溶けにくい物」や「異物」は、半溶融状態のままで、混入し混合状態となり、完全に溶けたものと、未溶融物が混入した物となり、再利用（再資源化）が難しく、品質としては「廃棄物のまま」との評価を受けていた。
【発明の開示】
【発明が解決しようとする課題】
【０００９】  廃棄物の溶融に関して、高温にして溶けやすいものだけを「溶かした物」は粘性が高く、流動性が悪いために、「溶けにくい物」や「異物」は、半溶融状態のままで、完全に溶けた物に混入し、混合状態となって出てくるため、スラグ等の再利用（再資源化）が困難である。
【課題を解決するための手段】
【００１０】  本発明は、事前に一般ごみや産業廃棄物の灰の組成や、溶融物の組成を推定し、その組成が最終的にＣａＯ／ＳｉＯ２が０．１５から１．４５となる様にＣａＯ系やＳｉＯ２系、ＭｇＯ系やＡｌ２Ｏ３系の「溶融補助資源」を追加投入して、溶けやすくコントロール調整をする廃棄物溶融方法である。【００１１】  上記目的を達成するため、例えば、建築廃材のアスベストを溶融する場合、アスベストの主組成のＳｉＯ２系とＭｇＯ系にＣａＯ系の石灰石などの「溶融補助資源」を追加投入し、ＣａＯ／ＳｉＯ２が０．１５以上となる溶融物を生成させる。【００１２】  また、例えば、建築廃材の石こうを溶融する場合、石こうの主組成ＣａＯ系にＳｉＯ２系の硅石やガラスビンを「溶融補助資源」を追加投入し、ＣａＯ／ＳｉＯ２が１．４５以下となる様にし、溶けやすい廃棄物溶融を行う。
【発明の効果】
【００１３】  本発明により、廃棄物の溶融が良くなり、流動性も良くなり完全溶融を行うことができる。【００１４】  また、この溶融により、「完全溶融した物」は再資源化し、建築材や路盤材等に再利用することが可能となる。【００１５】  さらに、完全溶融が可能なことから、廃棄物の無公害化をすることが可能となり、環境を汚染することを防止できる。
【発明を実施するための最良の形態】
【００１６】  以下、本発明の実施形態を、図面を参照しながら説明する。
図１は、一般的な溶融方法のフローチャートである。【００１７】  図１に示す溶融方法は、竪型の溶融炉で構成されている。【００１８】  溶融炉において炉内温度が１２００℃以上の高温となる能力を有する事が重要である。使用する燃料として石炭やコークスのような固体燃料が望ましい。【００１９】  一般廃棄物や産業ごみは予め１２００℃以上に昇温した溶融炉に投入する。【００２０】  さらに、事前に溶融物の組成を推定し、ＣａＯ／ＳｉＯ２が０．１５から１．４５となる様にＣａＯ系やＳｉＯ２系、ＭｇＯ系やＡｌ２Ｏ３系の「溶融補助資源」の追加投入を行う。【００２１】  一般廃棄物や産業ごみは高温溶融により、炭素、水素等の有機物はガスになり、無機物はスラグまたはメタルとなる。【００２２】  完全溶融により、このスラグは無公害化な物となるため、セメントの材料や、路盤材として再利用することができる。【００２３】  溶融炉からの排ガスは、ガスを利用した発電等のエネルギー利用、余熱を利用してボイラー発電や温水に変換する事が可能である。
【実施例１】
【００２４】  廃棄物を完全溶融する事が可能であるため、すべて再資源化、再利用することができる。
【産業上の利用可能性】
【００２５】  本発明によれば、廃棄物の溶融が良くなり、流動性も良くなり完全溶融を行う事ができる。
これにより、完全溶融したものは再資源化し再利用する事が可能となる。
また、廃棄物の完全溶融により無公害化する事ができ、環境を汚染することを防止できる。
【図面の簡単な説明】
【００２６】
【図１】  本発明に従う一般ごみや産業ごみなどの廃棄物の完全溶融方法フローチャートである。
【符号の説明】
【００２７】  １  廃棄物
２  竪型の溶融炉
３  ＣａＯ系、ＭｇＯ系
４  ＳｉＯ系、Ａｌ２Ｏ３系
５  スラグ
６  排ガス
【図１】
2007117976.tif 000003
(57)【要約】      （修正有）【課題】放置してある植物の果実を、収集する機能や公害薬害を洗浄する機能部門、製品にする加工部門、販売する機能などを組織化し活用するシステムの提供。【解決手段】地域ＮＰＯ法人や地元住民に依頼依託する。依頼は、果実収集地域の大学や市町村の保健所などに行なう。無害果実にする検査，洗浄などの体制の確立ができる。果実収集地域に無害果実を活用した製品を製造する設備を新設する。活動員やシステムの関係者を軸に頒布と販売の体制を作る。【選択図】図１
2007117074.tif 000002
【特許請求の範囲】
【請求項１】
放置されている植物の果実を拾得収集して公害薬害などを検査し、無害果実に洗浄し加工して製品にし頒布または販売するシステム。
【請求項２】
団体員や会員、公的機関員などの協力員を組織して、公園、寺社、学校、住宅などの放置植物の果実を拾得収集するシステム。
【請求項３】
大学や研究機関などに依頼または提携して公害薬害汚染などの検査や、無害果実に洗浄し長期保存用の加工製造を行うシステム。
【請求項４】
請求項１．２．３．の活動を全国のＮＰＯ法人団体、市区町村、学校、民間団体、旅館などに委託または提携して、収集、食害検査、洗浄、加工製造、頒布販売等の情報の交換と管理を行うシステム。
【発明の詳細な説明】
【技術分野】
【０００１】  本案は、放置してある植物の果実を拾い集めて活用するシステムの発明です。公園やお寺、お宮などには、「ウメ」や「ツバキ」「ボケ」「カキ」などの植物が植えられていますが、これらの果実の活用は「ウメの実」ぐらいで、他の植物や「ツバキ」などに至っては皆無です。
本発明は、前記などの植物の果実を、収集する機能や公害薬害を洗浄する機能部門、製品にする加工部門、販売する機能などを組織化し活用するシステムです。
【背景技術】
【０００２】  従来、放置してある植物の果実を拾い集めて活用する組織や団体，会社などの存在を耳にしたことがありません。
また、放置してある植物の果実を取得収集し公害薬害を洗浄して製品にし、配布や販売する機能を組織的にシステム化し活用している例はありません。
【発明が解決しようとする課題】
【０００３】  第一の課題は、放置植物の所在を認知することです。第二の課題は、放置植物を拾得収集する要員の募集と組織化です。
第三の課題は、拾得収集した果実を公害や薬害に汚染されていないかの検閲体制の確立です。
第四の課題は、無公害にして清潔加工製品化方法の管理と、配布及び販売方法の確立です。
第五の課題は、本発明の放置植物を拾得収集した、果実の無公害の製品の製造システムと製品の頒布販売システムを全国に普及し進展させることです。
【課題を解決するための手段】
【０００４】  第一の課題は、本発明の説明書やポスターを作り、情報の提供をお願いします。また、役所や学校、寺社などにお願いし情報を入手し、放置植物果実の「所在地地図」を作成します
第二の課題は、本発明を実施する従業員の募集と実行は、ＮＰＯ法人団体や町内会など依頼または委託、提携して遂行します。
【０００４】  第三の課題は、拾得収集し活動を行う地区の大学や医療保険機関に、本発明を説明して公害薬害検査を依頼、または委託、提携の体制を確立します。
第四の課題は、無公害清潔加工管理化で製造する直営工場を設立し。放置植物果実拾得収集した所在地に「加工所」建築して地元ＮＰＯ法人団体が製造します。
第五の課題は、本発明は郷土愛を基本理念とし、このシステムの実施はすべて地元住民のＮＰＯ法人会員を優先して活動要員とします。
放置植物果実の拾得収集員。無公薬害管理機関も地元大学や医保機関。製品加工所も地元に設置または建設し生産します。
製品の頒布や販売も地元の活動会員を優先して行い、剰余製品は、本発明のシステム情報ネットを活用して全国に普及販売できます。
【発明を実施するための最良の形態】
【０００５】  発明の実施システムの形態を図示して説明します。
図１，は，本発明システムの事業運営に関する説明図です。
Ａ．は、本発明システムの本部。  Ｂ．は、ＮＰＯ法人・各種。
Ｃ．は，市町村の趣味の会など。  Ｄ．は、初老スポーツクラブなど。
Ｅ．は、大学など学校の研究やスポーツクラブ員。
Ｆ．は、町内会，農協，その他。で、事業活動要員の募集予定対象グループ名です。
前記以外の団体組織体でも、本発明の趣旨を説明すれば必ずや多くの賛同者が得られるものと確信しています。
図２，は、本発明システムの事業活動に関する説明図です。
▲１▼は、拾得収集活動。    ▲２▼は、収集果実管理。
▲３▼は、公害薬害の検査。  ▲４▼は，無害処理。
▲５▼は、製品の製造。      ▲６▼は、本部に製品収集。
▲７▼は、製品の検査。      ▲８▼は、頒布と販売。で、頒布と販売は▲１▼の拾得収集活動と▲２▼の収集果実管理。の収集量を基本指数にして行ないます。
【発明の効果】
【０００６】  本発明は上述のとおりであります。
【０００７】  本発明の「放置植物果実の拾得収集活用製品頒布販売システム」の、放置植物の果実の所在は、郷土の公園やお宮お寺などとなるので、拾得収集の活動は合わせて清掃活動にもなり郷土美化の効果を上げることができます。
また植物との触れ合いは自然環境保護運動の効果を上げることができます。
【０００８】  収集した果実の製品化は、その製品を目にし口にしたときの感激は、たとえようもないものです。必ず次の活動に参加したいという効果があります。
それに，この活動は郷土や町内会が共同で実施できるので，この活動を通して人間関係が構築される効果もあります。
【図面の簡単な説明】
【０００９】
【図１】本発明の事業システムの運営と要員に関する説明図  本部の役割と活動要員の募集管理など。
【図２】本発明の事業システムの活動に関する説明図  事業システムの各工程ごとの活動指導管理。製品の最終検査と頒布販売に関する本部の役割など。
【符号の説明】
図１，Ａ．は本部。Ｂ．からＦ．は活動要員依頼依託予定団体と組織名の符号。
図２，▲１▼から▲８▼各工程別符号。活動は各工程を循環して活動する。
【図１】
2007117074.tif 000003
【図２】
2007117074.tif 000004
(57)【要約】      （修正有）【課題】納豆の粘質もしくはその粘質成分を用いて虫歯予防、歯周病予防をする、機能性食品、薬品を提供する。【解決手段】豆類を納豆菌にて発酵させてできた納豆の粘質および成分に強いミュータンス菌抑制効果がある納豆粘質または納豆粘質の成分抽出物。【選択図】なし【特許請求の範囲】
【請求項１】
豆類を納豆菌にて発酵させてできた納豆の粘質およびその成分によるミュータンス菌抑制
【発明の詳細な説明】
【発明の詳細な説明】
【産業上の利用分野】
【０００１】  虫歯予防、歯周病予防
【背景技術】
【０００２】従来、納豆には優れた栄養源としてだけはでなく、抗がん作用、抗血栓作用があること見つけられているが、キシリトールに勝るとも劣らない虫歯予防作用、口内ミュータンス菌抑制作用があることは知られていなかった。
【発明が解決しようとする課題】
【０００３】食べることができるミュータンス菌抑制物質としてはキシリトールが知られているが、独特の刺激味があり、大量に摂取すると人により下痢をする。
キシリトールを長期間摂取することによる副作用がないかとの不安も人々にないわけでもない。キシリトール以外にもミュータンス菌抑制効果のある食用可能な物質が発見されることは、言うまでもなく待ち望まれていた。
【課題を解決するための手段】
【０００４】納豆粘質または納豆粘質の成分抽出物で歯磨きをすることで虫歯予防効果が得られる。
納豆粘質または納豆粘質の成分の加工品、たとえばタブレットを噛む、ジェルを口内行き渡らせることによって歯磨きすることなしに虫歯の予防効果が得られる。
【作用】
【０００５】作用１．ミュータンス菌の増殖が抑制される。
作用２．ミュータンス菌の酸産生が抑制される。
作用３、ミュータンス菌が産生した酸が歯を浸食するのを抑制する。
作用４、ミュータンス菌の歯垢形成能を抑制する。
【発明の効果】
【０００６】虫歯および歯周病になり難くなる。
(57)【要約】      （修正有）【課題】全自動海苔乾燥機のほとんどの機種には脱水用のスポンジ洗いは付いていない。脱水用のスポンジを洗うには全自動海苔乾燥機から取りはずし、他のスポンジ洗い機で洗ってから再び取り付けるしかなく、一週間に一度くらいのペースでこれを繰り返すことは大変な労力であった。この解決方法の提供。【解決手段】穴あきローラー２を逆さＴ型スポンジ洗いローラー支持具に取り付け、これを図１のように上下移動アクチュエーターの下方に取り付け平行移動テーブルに搭載した。その他、各アクチュエーターも図１のように設置したことで脱水用のスポンジを取り外すことなく洗うことができるようになった。【選択図】図１
2007117065.tif 000002
【特許請求の範囲】
【請求項１】
スポンジ洗い用ローラーの支持具を逆さＴ型形状にしてＴ型の両枝のそれぞれにスポンジ洗い用ローラーを取り付けることで全自動海苔乾燥機の数列に取りつけられた内の二列の脱水用スポンジを直動アクチュエーターにより移動しながら洗うことを特徴とした逆さＴ型ローラー支持具。スポンジ洗い用ローラーの支持具を逆さＴ型形状にしたことで９０度回転すれば上段のスポンジの列のすき間をすり抜けて下段のスポンジの列へ移動して下段のスポンジを洗うことができる。
【請求項２】
また、上記の逆さＴ型ローラー支持具は中空でＴ型の根本から洗い液を両枝に向かって送ることができ枝の下方には列状に多数の穴を配している。スポンジ洗い用ローラーにも多数の穴が中心から外に向かって開けているので逆さＴ型ローラー支持具からあふれた洗い液は回転しているこのローラーをも通過して洗っているスポンジの上にあふれ出すようにしたことを特徴としている。
【発明の詳細な説明】
【技術分野】
【０００１】この発明は全自動海苔乾燥機に取りつけるための脱水用スポンジ洗い装置に関するもの。
【背景技術】
【０００２】従来の全自動海苔乾燥機には脱水用スポンジ洗いはほとんどの機種がが取りつけられていないため全自動乾燥機から数十枚もの脱水用スポンジを取りはずし別のスポンジ洗い機で洗い再び全自動海苔乾燥機に装着していた。
【発明の開示】
【発明が解決しようとする課題】
【０００３】しかしながら、以上の技術によれば全自動海苔乾燥機の脱水用スポンジを洗うためには全自動海苔乾燥機からいったん数十枚もの脱水用スポンジを取りはずし別のスポンジ洗い機で洗い再び全自動乾燥機に装着するための労力は大変なものだった。本発明は、全自動海苔乾燥機の脱水用スポンジを取りはずすことなく洗うことで大変な労力を省くことを課題としている。
【課題を解決するための手段】
【０００４】以上の課題を解決するために、第一発明は全自動海苔乾燥機の脱水用スポンジが副数列で上下二段に取りつけられているためにスポンジ洗い用ローラー支持具の形状を逆さＴ型にしＴ型の枝の両方にスポンジ洗いローラーを取り付けこれを直動アクチュエーターで移動させることで二列づつ洗えると共に逆さＴ型スポンジ洗いローラー支持具を９０度回転させることで脱水用スポンジ列の間をすり抜けて別の段に移動することができるようにした。また、第二発明は脱水用スポンジ列の間をすり抜けて別の段に移動するためにシンプルでなければならないことからスポンジの上部へ洗い液を散水するために逆さＴ型スポンジ洗いローラー支持具を中空にしてＴ型支持具の根本から枝の両方に向かって洗い液を流し、枝の下方に列状に穴を開け  また、スポンジ洗いローラーにも中心から外に向かって多数の穴を開けることでそれぞれを通り抜けて洗い液はスポンジの上部にあふれだすようにした。
【発明の効果】
【０００５】第一発明により全自動海苔乾燥機の脱水スポンジを二列づつ洗えるようになると共に上下二段に取りつけられた脱水スポンジをも洗えるようになった。また、第二発明はスポンジの上部に洗い液を流すためのパイプを省きシンプルにすることで上下二段に取りつけられた脱水スポンジの列の間をすり抜けやすくできた。
【発明を実施するための最良の形態】
【０００６】この発明の実施形態を、図１、図２、図３、に示す。
図１は全自動海苔乾燥機の脱水用スポンジ洗い装置の斜視図、図２は脱水用のスポンジの列の位置の略図、図３は逆さＴ型スポンジ洗いローラー支持具と穴あきローラーの形状と設置状況の図。
逆さＴ型スポンジ洗いローラー支持具は１  穴あきローラーは２  横移動用アクチュエーター３  ９０度回転用アクチュエーター４  上下移動用アクチュエーター５  平行移動テーブル６  上段のスポンジの列７  下段のスポンジの列８。  図３の穴あきローラー２  を逆さＴ型スポンジ洗いローラー支持具１  で支持し上下移動用アクチュエーター５  の下端に取り付け平行移動テーブル６  に固定されている。図１からもわかるように平行移動テーブル６  は横移動用アクチュエーター３  により横移動を繰り返しながら脱水用スポンジを洗っていく。また、洗い液はスポンジ洗い液投入口９  から投入され中空になっている逆さＴ型スポンジ洗いローラー支持具１  の中を通りその枝の部分の下方に列状に開けられた多数の穴を通り回転している穴あきローラー２  の穴から脱水用スポンジの上にあふれ出て脱水用スポンジの汚れを洗い流す。また、９０度回転用アクチュエーターは下段のスポンジの列８  を洗うために穴あきローラー２  を上段のスポンジの列７  のすき間をすり抜けるために逆さＴ型スポンジ洗いローラー支持具１  を９０度回転させ上下移動用アクチュエーター５  で下方に移動させ再度９０度元に戻すことで下段のスポンジの列８  を洗うことができる。穴あきローラー２  は脱水用スポンジの上を移動することで回転しながら脱水用スポンジの汚れをしぼり出す。
［実施形態の効果］【０００７】この実施形態によれば全自動海苔乾燥機の脱水用スポンジを取りはずすことなく自動で洗うことができることで取りはずし取り付けおよび洗うための労力の削減ができると共に脱水用スポンジをきれいな状態に保つことで脱水の能力を高めひいては燃料費の削減にもなる。
［他の実施形態］【０００８】本発明に使用するスポンジ洗い液を人体に無害なＥＭ菌や汚れを分解する酵素を含ませることで洗いの質をより高めることができる。
また、各アクチュエーターなどをプログラマブルコントローラーによりコントロールすることで完全に自動化できる。
【図面の簡単な説明】
【０００９】
【図１】全自動海苔乾燥機の脱水用スポンジ洗い装置の斜視図
【図２】脱水用のスポンジの列の略図
【図３】逆さＴ型スポンジ洗いローラー支持具と穴あきローラーの形状と設置状況の図
【符号の説明】
【００１０】１．逆さＴ型スポンジ洗いローラー支持具  ２．穴あきローラー
３．横移動用アクチュエーター    ４．９０度回転用アクチュエター
５．上下移動用アクチュエーター  ６．平行移動テーブル
７．上段のスポンジの列          ８．下段のスポンジの列
９．スポンジ洗い液投入口
【図１】
2007117065.tif 000003
【図２】
2007117065.tif 000004
【図３】
2007117065.tif 000005
(57)【要約】【課題】１回の篩動作で、ペット用トイレの清掃が行え、次回の準備も完了することにより、清掃作業を簡素化する。【解決手段】あらかじめペット用トイレ容器４にペット用トイレ全面を覆うシート状篩１を数枚と一番下に穴の無いシート３を１枚組み合わせ、敷くことにより、その上に撒いた砂５と糞を、１回の清掃に篩を上から１枚ずつ持ち上げ篩い分離し、そのまま廃棄する。ペット用トイレ容器内には最下部に３、その上に残りの１が数枚、その上に篩われた５が撒かれた状態で残り、次回の準備が完了する。【選択図】図１
2007117068.tif 000002
【特許請求の範囲】
【請求項１】
ペット用トイレの砂の下に敷く、糞より小さく砂より大きい穴がいくつか開いており、トイレの糞掃除のときに使用するシート状の篩。
【請求項２】
請求項１の篩数枚の下に穴の空いていないシートを組み合わせた篩の束。
【請求項３】
請求項２を複数組み合わせた篩の束。
【発明の詳細な説明】
【技術分野】
【０００１】  本発明は、ペット用トイレの掃除が容易な篩に関するものである。
【背景技術】
【０００２】  ペット用トイレはトイレ容器の中にトイレ用砂を敷き、ペットが用をたした時にトイレ外に糞尿が出ずに砂の中に留まる。実用の砂には糞尿の水分を吸い固まるものもある。それらの糞尿や固まった砂をトイレの掃除のときに取り除くのにはスコップや専用の砂より大き目のスリットの入ったスコップを使う。取り除く必要の無い砂と取り除くべき糞尿および固まった砂を分離するのに何度も砂をすくい篩う。【０００３】  しかし、トイレ容器の大きさに対しスコップが小さく、糞尿を取り除くには何回も篩うことを繰り返す必要があり、しかも篩い損ねる部分が生じることがあるという欠点があった。【０００４】  ペット用トイレの掃除時において、この欠点は作業者にとって大きな負担となる。具体的には、同じ場所を何度もすくったり、あるいは、すくおうとしたものがスコップから逃げたりして同じ動作を繰り返すことにより必要以上に掃除時間が掛かってしまう。また、時間が掛かることにより、糞尿のにおいや砂の粉が巻き上がり、作業者がそれを吸い込む機会が増えるなどの問題があった。【０００５】  この改善策として、掃除のたびに全量の砂を廃棄し、新しく砂を敷き詰めれば良いが、まだ使えるものを廃棄するのは費用も多くかかり、環境負荷も大きくなる。
【発明の開示】
【発明が解決しようとする課題】
【０００６】  解決しようとする問題点は、トイレ容器の大きさに対して小さなスコップで何度も砂をすくい、篩う行為を繰り返さなければならない点である。
【課題を解決するための手段】
【０００７】  本発明は、トイレ容器内に砂を敷く前に穴あきシート状の篩を敷いておき、その上に砂を敷くことにより、掃除時にシートを持ち上げることにより、１回でトイレ容器内の砂をすくう事ができ、くまなく篩うことが出来ることを最も主要な特徴とする。
【発明の効果】
【０００８】  本発明のトイレ掃除用シート状篩は、トイレ容器全面を覆うため砂の篩い逃しが発生せず、１回の篩いで糞尿を分離でき、しかもそのまま篩ごとくるんで廃棄できる利点がある。
【発明を実施するための最良の形態】
【０００９】  １回の篩いでトイレ容器内の糞尿をもれなく分離するという目的を、最小の部品点数で、ペット用トイレ構成部品の形態を損なわずに実現した。
【実施例１】
【００１０】  図１は、本発明の穴を開けた篩の構成例であって、１は篩である。２は篩に開けた穴である。これを複数枚重ねて、一番下に穴の開いていないシートを敷く。【００１１】  図２は、本発明の１装着例であって、１は穴を開けた篩である。３は穴を開けていないシートである。４はペットのトイレ容器である。５はペットのトイレ用砂である。１と３を組み合わせ４の中に敷き、その上に５を撒く。【００１２】  一般にペット用トイレの砂を掃除するときは、糞と尿で固まった砂とまだ糞尿に触れていない砂を専用のスコップ等で篩い分ける。この動作を何回かに分けて行う。【００１３】  本発明は篩がペット用トイレ全体を覆っているため、取りこぼしがなく篩い分けの動作を一回で行うことができる。【００１４】  篩い分けの動作を行うと、篩上には糞と尿で固まった砂が残り、これはそのまま篩に包み、ごみとして廃棄することができる。従って、操作者は複数回の無駄な篩い動作を繰り返す必要が無くなり、手も汚さずに廃棄できるので、掃除時間を短縮でき、砂埃に曝される機会も低減できる効果がある。【００１５】  上記において、篩われて下に落ちた砂を後日、再度掃除しなければならない。このときは、あらかじめ篩を数枚敷いてあるので、篩うときには一枚ずつ使用する。一番下に穴無しシートを組み合わせ敷いておくと数回後には汚れた砂をまとめて篩わず包み、廃棄することが出来る。この組み合わせにすることにより、掃除後さらに篩を敷く手間が省け、砂の交換も定期的に全量交換できるため、砂の無駄な補充をすることなく、短時間で清掃が終わり、衛生的な環境を保つことにおおいに役立つ。
【図面の簡単な説明】
【００１６】
【図１】ペットのトイレ掃除用シート状篩の構成を示した説明図である。（構成例１）
【図２】ペットのトイレ掃除用シート状篩の実施方法を示した説明図である。（実施例１）
【符号の説明】
【００１７】１  シート状篩
２  篩の穴
３  穴の開いていないシート
４  ペット用トイレの容器
５  ペットのトイレ用砂
【図１】
2007117068.tif 000003
【図２】
2007117068.tif 000004
(57)【要約】      （修正有）【課題】ネズミがネズミ捕獲器入口から入りやすくし、入った後閉じこめるドアが簡単に作動するようにし、さらに捕獲したネズミを簡単に処理することが可能なネズミ捕獲器を提供すること。【解決手段】ネズミ捕獲器入口を左右２箇所にしさらに天井を高くし、入ったネズミがシーソー方式の板に触れるとネズミ捕獲器のドアが簡単にスライドして閉まりネズミを捕獲する。その後、ネズミ捕獲器の入口に設けたネズミ誘導パイプにネズミを閉じこめ、ネズミ誘導パイプを外し、ネズミ誘導パイプを水につけてネズミを処理するようにしたネズミ捕獲器。【選択図】図１
2007117070.tif 000002
【特許請求の範囲】
【請求項１】
本製品は従来のネズミ採り方式を変え、シーソー式で引っ掛け部分と板を網の底一面に大きくしました。
【発明の詳細な説明】
【発明の詳細な説明】
【技術分野】
【０００１】まず、入口を左右２箇所にし、天井を高く入りやすくし、捕れたネズミはパイプの中に自然に入り処理ができる方法にしました。
【背景技術】
【０００２】従来は入口が一箇所。強いバネの仕掛けです。
【発明が解決しようとする課題】
【課題を解決するための手段】
【０００３】板をカゴいっぱいにしました。入ったねずみが、コマ方式なので３６０度ネズミが設置した板のどこに触れてもバネがないので簡単に両方のドアがスライドして一瞬で閉まります。
【発明を実施するための最良の形態】
【０００４】板の中心のところに軸棒を上に伸ばし、頭を網の取っ手の合わせた部分に引っ掛けます。傾いた板の方向に引っ掛け棒が渡し棒の方向にずれて、引っ掛けが外れない。そこで工夫したのは引っ掛かるほうの渡し棒の先端横部分の所に、出っ張った突起（こぶ）を長さ１ｃｍ、幅５ｍｍ出したところに引っ掛ける事によって板が傾いた瞬間にずれる部分が５ｍｍなので簡単にバネがないので外れる事に成功しました。
【実施例】
【０００５】捕れたネズミをカゴからパイプに移動するための内容。カゴの網に約５ｃｍの丸い穴を空け、そこに受けのパイプをはめこみ動かないように固定します。パイプに移動させない場合は、パイプの外側に切り込みをいれ、丸い戸を差込み出られないようにしています。また、ネズミを誘導する場合は、その弁を外し、誘導パイプ約２５ｃｍのものを入口に入ったら出られない弁をつけた誘導パイプを差し込みます。このパイプの弁は簡単に入れますが、出ることはできないようになっております。そのため、処理をする時は、パイプを外し、水につけて処理します。
【図面の簡単な説明】
【０００６】
【図１】は本体を開いたところ。
【図２】はパイプ取り付け口と弁。
【図３】は本体をとじたところとパイプを取り付けたところ。
【図４】は、えさを置く板。
【図５】はスライド式で出口を抑える棒。
【図６】は仕掛けをセットしたところ。
【図１】
2007117070.tif 000003
【図２】
2007117070.tif 000004
【図３】
2007117070.tif 000005
【図４】
2007117070.tif 000006
【図５】
2007117070.tif 000007
【図６】
2007117070.tif 000008
(57)【要約】【課題】釘を容易に引き抜くことができ、低コストで製造できる吊下フックを提供する。【解決手段】吊紐Ｓを掛ける吊掛部１に、釘穴３を有する固定部２を設けた吊下フックにおいて、固定部２に盛り上がった台座５を形成して、台座５に釘穴３を位置させ、釘穴３の周囲に座ぐり６を設け、釘穴３に打ち込んだ釘Ｎの頭部ｔが台座５の両側方に張り出すと共に、座ぐり６に没入するようにする。吊紐Ｓを掛ける際、釘Ｎの頭部ｔに吊紐Ｓが引っ掛かることがなく、壁面から取り外す際、ペンチ等の汎用の工具を用いて、釘Ｎの頭部ｔの台座５から両側方へ張り出した部分を掴み、手前に引っ張ることにより、釘Ｎを真っ直ぐに引き抜くことができ、工具を兼ねたキャップも不要となる。【選択図】図１
2007117184.tif 000002
【特許請求の範囲】
【請求項１】
吊紐Ｓを掛ける吊掛部１に、釘穴３を有する固定部２を設けた吊下フックにおいて、固定部２に盛り上がった台座５を形成して、台座５に釘穴３を位置させ、釘穴３の周囲に座ぐり６を設け、釘穴３に打ち込んだ釘Ｎの頭部ｔが台座５の両側方に張り出すと共に、座ぐり６に没入するようにしたことを特徴とする吊下フック。
【発明の詳細な説明】
【技術分野】
【０００１】
この発明は、額縁等を吊り下げるための吊下フックに関するものである。
【背景技術】
【０００２】
従来、下記特許文献１には、吊紐を掛ける吊掛部に、釘穴を有する固定部を連設した吊下フックにおいて、固定部に釘穴の一側に臨む枕部を形成しておき、釘穴に打ち込んだ釘の頭部を枕部に当接させ、釘の頭部の他側を固定部から浮き上がらせた状態で、固定部にキャップを被せるようにしたものが記載されている。
【０００３】
この吊下フックは、キャップの凹部内側に突起を有し、壁面から吊下フックを取り外す必要が生じた場合、固定部からキャップを外して、キャップの突起を釘の頭部の浮き上がった部分に係合させ、キャップを手前に引っ張ることにより、釘を引き抜くことができるようにした点を特徴としている。
【０００４】
【特許文献１】特開平１１−７６０４１号公報
【発明の開示】
【発明が解決しようとする課題】
【０００５】
しかしながら、上記のような吊下フックでは、キャップを省略した場合、固定部から浮き上がった釘の頭部に吊紐が引っ掛かることがあり、また、釘を引き抜く際、工具を兼ねたキャップを使用するので、キャップが必須の構成部材となり、製造にコストがかかるという問題がある。また、キャップの突起で釘の頭部の一側だけを手前に引っ張るので、釘を真っ直ぐに引き抜くことが難しく、引抜作業に手間取る場合もある。
【０００６】
そこで、この発明は、釘を容易に引き抜くことができ、低コストで製造できる吊下フックを提供することを課題とする。
【課題を解決するための手段】
【０００７】
上記課題を解決するため、この発明は、吊紐を掛ける吊掛部に、釘穴を有する固定部を設けた吊下フックにおいて、固定部に盛り上がった台座を形成して、この台座に釘穴を位置させ、釘穴の周囲に座ぐりを設け、釘穴に打ち込んだ釘の頭部が台座の両側方に張り出すと共に、座ぐりに没入するようにしたのである。
【発明の効果】
【０００８】
この吊下フックでは、壁面に取り付けた状態において、釘の頭部が座ぐりに没入しているので、釘の頭部に吊紐が引っ掛かることがなく、また、壁面から取り外す際、ペンチ等の汎用の工具を用いて、釘の頭部の台座部から両側方へ張り出した部分を掴み、手前に引っ張ることにより、釘を真っ直ぐに引き抜くことができるので、作業性に優れ、工具を兼ねたキャップを備えておく必要もなく、製造コストを抑制できる。
【発明を実施するための最良の形態】
【０００９】
まず、この発明の第１実施形態を図１乃至図３に基づいて説明する。
【００１０】
この吊下フックは、ステンレス等の細長い金属板を折り曲げた吊掛部１の上部に、プラスチック製の固定部２を設けたものとされ、固定部２には、釘Ｎを打ち込む２個の釘穴３が上下並べて設けられている。吊掛部１には、額縁の吊紐Ｓが掛けられるように、下端の屈曲部から斜め上方ヘ向けて鉤先部４が設けられている。
【００１１】
固定部２の表面側には、盛り上がった台座５が縦方向に形成され、この台座５に釘穴３が位置し、釘穴３の周囲には座ぐり６が設けられている。また、図２に示すように、固定部２の裏面側には、釘穴３の周囲に凸部７が形成され、吊掛部１の上部には、凸部７が嵌め込まれる嵌込穴８が形成されている。
【００１２】
このような吊下フックを壁面に取り付ける際、図１及び図３に示すように、釘穴３に釘Ｎを打ち込むと、上方の釘Ｎが先端へかけて下方へ向くように傾斜し、下方の釘Ｎが水平に打ち込まれるので、吊下フックが手前に引っ張られても、壁面から外れることはない。
【００１３】
そして、この吊下フックでは、壁面に取り付けた状態において、釘Ｎの頭部ｔが座ぐり６に没入しているので、吊紐Ｓを吊掛部１に掛ける際、釘Ｎの頭部ｔに吊紐Ｓが引っ掛かることがなく、キャップがなくても、すっきりした外観となる。
【００１４】
また、壁面から取り外す際、ペンチ等の汎用の工具を用いて、釘Ｎの頭部ｔの台座５から両側方へ張り出した部分を掴み、手前に引っ張ることにより、釘Ｎを真っ直ぐに引き抜くことができるので、作業性に優れ、工具を兼ねたキャップも不要なことから、製造コストを抑制することができる。
【００１５】
なお、図４乃至図６に示す第２実施形態のように、固定部２の横幅を広く設定する場合には、釘穴３を３個設け、台座５をＴ字状としてもよい。このように、固定部２の横幅を広くすると、吊下フックを壁面に強力に取り付けることができる。
【００１６】
さらに、図７乃至図９に示す第３実施形態のように、吊掛部１と固定部２とをプラスチックで一体に成形して、吊掛部１が固定部２から斜め上方へ延びる形状とし、吊紐Ｓを吊掛部１と壁面との間に挟み込んで、額縁等を吊り下げるようにしてもよい。
【図面の簡単な説明】
【００１７】
【図１】この発明に係る吊下フックの第１実施形態の使用状態を示す斜視図
【図２】同上の吊下フックの裏面側から見た分解斜視図
【図３】同上の使用状態を示す（ａ）正面図（ｂ）縦断側面図
【図４】この発明に係る吊下フックの第２実施形態の使用状態を示す斜視図
【図５】同上の吊下フックの裏面側から見た分解斜視図
【図６】同上の使用状態を示す（ａ）正面図（ｂ）縦断側面図
【図７】この発明に係る吊下フックの第３実施形態の使用状態を示す斜視図
【図８】同上の吊下フックの裏面側から見た斜視図
【図９】同上の使用状態を示す（ａ）正面図（ｂ）縦断側面図
【符号の説明】
【００１８】
１  吊掛部
２  固定部
３  釘穴
４  鉤先部
５  台座
６  座ぐり
７  凸部
８  嵌込穴
Ｓ  吊紐
Ｎ  釘
ｔ  頭部
【図１】
2007117184.tif 000003
【図２】
2007117184.tif 000004
【図３】
2007117184.tif 000005
【図４】
2007117184.tif 000006
【図５】
2007117184.tif 000007
【図６】
2007117184.tif 000008
【図７】
2007117184.tif 000009
【図８】
2007117184.tif 000010
【図９】
2007117184.tif 000011
(57)【要約】      （修正有）【課題】従来の防火構造は外壁の延焼防ぐ事が主で建築物全体火炎で包み込む火災旋風は想定外であった。【解決手段】火災・火災旋風の火炎・高温ガス・風圧を遮断し熱交換により水蒸気・圧力に転換する遮炎・貯水層を設け発生した圧力を活用し併設した中空層へ放出口、又は、気圧開閉バルブより水蒸気を放出し遮熱層を形成、屋内側に不燃材・断熱材を設けた多層防火構造を建築物全体に設ける事で建築物への発火・屋内の温度上昇による人的被害を防ぐ事が出来る。【選択図】図１
2007117102.tif 000002
【特許請求の範囲】
【請求項１】
火災・火災旋風側に火炎・高温ガス・風圧を遮断し熱交換により水蒸気・圧力へ転換を行う遮炎・貯水層を設け、発生した圧力を活用し併設した中空層へ、放出口又は、気圧開閉バルブより水蒸気を放出し遮熱層を形成、屋内側に不燃材・断熱材層を設けた、多層防火構造。
【発明の詳細な説明】
【技術分野】
【０００１】  本発明は、  遮炎・貯水層、  遮熱層、  不燃材・断熱材層を設けた多層防火構造
〔背景技術〕【０００２】  従来の防火構造は外壁等の延焼を防ぐ事が主で、建築物全体を不意に炎で包み込み大きな被害をだす火災旋風は想定外だった
〔発明の開示〕
〔発明が解決しようとする課題］【０００３】  以上に述べた従来の防火構造では建築物への発火、屋内の急激な温度上昇による人的被害を防ぐ事は難しいかった。
〔課題を解決するための手段〕【０００４】  本発明は、遮炎力・遮熱力強化の為に火災・火災旋風の火炎・高温ガス・風圧を遮断し熱交換により水蒸気・圧力に転換する遮炎・貯水層を設け、発生した圧力を活用し併設した中空層へ放出口、又は、気圧開閉バルブより水蒸気を放出し遮熱層を形成、高温ガス・風圧から水蒸気の拡散を防ぎ屋内側不燃材・断熱材への負担を減らす多層防火構造とする
〔発明の効果〕【０００５】  上述したように本発明の多層防火構造は熱交換により遮炎層・遮熱層を形成し屋内側不燃材・断熱材の負担をへらす事が出来る。
〔発明の実施するための最良の形態〕【０００６】  外壁以外に開口部含め建築物全体を多層防火構造にする事で火災旋風等に対応する事が出来る。
【図面の簡単な説明】
【０００７】    〔図１〕    本発明の実施形態を示す防火構造の断面図
〔図２〕    本発明の実施形態を示す防火構造の断面図
【符号の説明】
【０００８】  １  遮炎・貯水層
２  中空層
３  不燃材・断熱材層
４  放出口・気圧開閉バルブ
【図１】
2007117102.tif 000003
【図２】
2007117102.tif 000004
(57)【要約】【課題】  従来の器具を唇にあて、口元を引締めるトレーニング器具は、一つの器具で一機能のトレーニングしか出来なかった。【解決手段】  本発明は、グリップ６の設けられたシリンダー１に、チューブ５を取り付ける。このシリンダー１に、押引板３のついたピストン２とスプリング４を内蔵した、多機能口元トレーニング器具である。  この器具の使用は、押引板３を唇で押す、逆方向から押引板３を唇で引く、チューブ５を上下から唇ではさむ、グリップ６を唇で保持し、先端を持ち上げる、さらに先端を左右にひねるなどがあり、一つの器具で口元を引締めるための、多機能のトレーニングができる器具である。【選択図】  図１
2007117688.tif 000002
【特許請求の範囲】
【請求項１】
チューブ５を取付けたシリンダー１に、押引板３を取付けたピストン２と、スプリング４を内臓した多機能口元トレーニング器具。
【請求項２】
チューブ５と押引板３をそれぞれ取り替え、取り外しが出来るようにした請求項１記載の多機能口元トレーニング器具。
【請求項３】
シリンダー１の一方に、グリップ６を設けた請求項１記載の多機能口元トレーニング器具。
【発明の詳細な説明】
【技術分野】
【０００１】  本発明は、チューブの取付けられたシリンダーに、押引板の取付けられたピストンとスプリングが内臓された多機能口元トレーニング器具に関するものである。
【背景技術】
【０００２】  従来、器具を唇にあて、口元を引締めるトレーニング器具があった。
【発明の開示】
【発明が解決しようとする課題】
【０００３】  これには、次のような欠点があった。
（イ）一つの器具で一機能のトレーニングしか出来なかった。
（ロ）器具を手で持って使用する必要があったり、大きくて持ち運びに不便であった。
本発明は、これらの欠点を除くためになされたものである。
【課題を解決するための手段】
【０００４】  グリップ６の設けられたシリンダー１に、チューブ５を取り付ける。このシリンダー１に、押引板３のついたピストン２とスプリング４を内蔵する。
本発明は、以上のような構成よりなる多機能口元トレーニング器具である。
【発明の効果】
【０００５】  本発明は以上のような構造で、この器具の押引板３を押して使用する時は、シリンダー１の押す時Ａを軽く歯で保持し、押引板３を唇で押す（図６）。一方これを引いて使用する時は、シリンダー１の引く時Ｂを軽く歯で保持し、押引板３を唇で引く（図７）。次にチューブ５をはさんで使用する時は、シリンダー１のはさむ時Ｃを軽く歯で保持し、チューブ５を上下から唇で押さえてはさむ（図８）。グリップ６で使用する時は唇でグリップ６を保持し、唇で先端を下から上へと持ち上げる（図９）。さらに先端を左または右にひねる（図１０）。
このように唇で押す、引く、はさむ、持ち上げる、ひねるなど、一つの器具で口元を引締めるための、多機能のトレーニングができるし、シリンダー１の各部分を歯で軽く保持するだけなので、器具を手で持って使用する必要がない。
なお、チューブ５と押引板３はそれぞれ取り替え、取り外しが出来るので、例えばチューブ５のゴム製をシリコン樹脂製に取り替えれば素材を替えて使用することも出来る。また、押引板３を取り外せば小さくなるので持ち運びが楽な器具である。
【発明を実施するための最良の形態】
【０００６】  以下、本案の実施の形態について説明する。
グリップ６の設けられたシリンダー１に、チューブ５を取り付ける。このシリンダー１に、押引板３のついたピストン２とスプリング４を内蔵する。
（イ）本案の押引板３を押して使用する時は、シリンダー１の押す時Ａを軽く歯で保持し、押引板３を唇で押す。一方これを引いて使用する時は、シリンダー１の引く時Ｂを軽く歯で保持し、押引板３を唇で引く。するとスプリング４の伸縮運動によって、両方向から唇の押し引きトレーニングができる。
（ロ）チューブ５をはさんで使用する時は、シリンダー１のはさむ時Ｃを軽く歯で保持し、チューブ５を上下から唇で押さえてはさむ。するとチューブ５の弾力により、唇の上下はさみトレーニングができる。
（ハ）グリップ６で使用する時は唇でグリップ６を保持し、唇で先端を下から上へと持ち上げる。さらに先端を左または右にひねる。すると器具の重量負荷によって、唇の持ち上げトレーニングとひねりトレーニングができる。
【図面の簡単な説明】
【０００７】
【図１】  本発明の上または下から見た断面図。
【図２】  本発明の横から見た断面図。
【図３】  本発明の正面から見た断面図。
【図４】  本発明の押して使用する側から見た斜視図。
【図５】  本発明の引いて使用する側から見た斜視図。
【図６】  本発明の押して使用している時の断面図。
【図７】  本発明の引いて使用している時の断面図。
【図８】  本発明のはさんで使用している時の断面図。
【図９】  本発明の持ち上げて使用している時の断面図。
【図１０】  本発明のひねって使用している時の断面図。
【符号の説明】
【０００８】  １  シリンダー    ２  ピストン    ３  押引板    ４  スプリング
５  チューブ      ６  グリップ
Ａ  押す時        Ｂ  引く時      Ｃ  はさむ時
【図１】
2007117688.tif 000003
【図２】
2007117688.tif 000004
【図３】
2007117688.tif 000005
【図４】
2007117688.tif 000006
【図５】
2007117688.tif 000007
【図６】
2007117688.tif 000008
【図７】
2007117688.tif 000009
【図８】
2007117688.tif 000010
【図９】
2007117688.tif 000011
【図１０】
2007117688.tif 000012
(57)【要約】      （修正有）【課題】通信ネットデジタルダーツマシンを応用して、初心者からダーツプロまで気軽に参加でき、通信ネットデジタルダーツマシンにカメラを搭載する事により、遊戯性が高いゲームを提供する。【解決手段】画像の通信速度を改善する為、光ファイバーを利用して通信速度を改善する。デジタルカメラＢをプレイヤーが投げる時に、邪魔にならないように、通信ネットデジタルダーツマシンＥに内蔵してしまう。今まで出来なかった通信による対戦を可能にする為、相手の投げるところなどを同時に、通信ネットデジタルダーツマシンのディスプレイＡに表示できるようにする。今現在市場に出回っているダーツマシンを改造する事によって、外付けでカメラを取り付ける事ができて通信ネットデジタルダーツマシンに改造する。【選択図】図１
2007117689.tif 000002
【特許請求の範囲】
【請求項１】
通信ネットデジタルダーツマシンにカメラを付けてあり、インターネットを通じて全国のダーツプレイヤーと気軽にダーツができる。
【請求項２】
市場に出回っているデジタルダーツマシンを改造して、外付けでカメラを取り付ける事ができ気軽にダーツができる。
【発明の詳細な説明】
【発明の詳細な説明】
【０００１】  本発明は、ゲームセンターやダーツバーにある、通信ネットデジタルダーツマシンにカメラを付けてあり、インターネットを通じて全国のダーツプレイヤーと気軽にダーツができる。カメラを取り付ける事によって、全国のダーツプレイヤーとダーツができるシステムである。しかも、本発明の機械が設置されている店鋪であれば、合同でダーツ大会や様々なイベントが可能になる。
今現在市場に出回っているデジタルダーツマシンを改造する事により、外付けでカメラを取り付ける事が可能で、カメラ付き通信ネットデジタルダーツマシンにすることも可能になる。
【技術利用分野】
【０００２】  本発明は、通信ネットデジタルダーツマシンにカメラを付けてあり、テレビ電話を応用したデジタルダーツカメラゲーム装置である。
【背景技術】
【０００３】  今現在の通信ネットデジタルダーツマシンには、プレイヤーがダーツをしたデータだけが残るシステムである。
【発明が解決しようとする課題】
【０００４】  市場に出回っているデジタルダーツマシンをカメラ付き通信ネットデジタルダーツマシン改造する。
【発明が解決する為の手段】
【０００５】  デジタルダーツマシンを通信ネットデジタルダーツマシン改造して、カメラを付ける。
【発明の効果】
【０００５】  デジタルダーツマシンを通信ネットデジタルダーツマシン改造して、カメラを付ける事により遠方にいるダーツプレイヤーとカメラを見ながら試合をする事ができる
【産業上の利用可能性】
【０００６】  遊技台としてゲームセンターやダーツバーに設置する事ができる。
【図面の簡単な説明】
【図１】  通信ネットデジタルダーツマシンの正面図（内臓カメラ）
【図２】  通信ネットデジタルダーツマシンの正面図（外付けカメラ）
【符号の説明】
Ａ  モニター
Ｂ  内臓カメラ
Ｃ  操作ボタン
Ｄ  コイン挿入口
Ｅ  通信ネットデジタルダーツマシン本体
Ｂ１  外付けカメラ
【図１】
2007117689.tif 000003
【図２】
2007117689.tif 000004
(57)【要約】      （修正有）【課題】立ち姿勢のままで長時間接客、応対及び作業する場所で心のこもった接客、迅速な対応作業空間の有効利用をすることと、使用者の足腰への負担を軽減するための重心移動補助器具を提供する。【解決手段】アジャスター付腰板Ａ（１）を、回転軸（２）に伸縮用ストッパー（４）付固定具（３）にて取付け、反発力のある材質でワンアーム式サイドフレーム（５）にジョイントし床面に固定したスライドレール（６）と接続することで前後に調整稼動する、スライドレールは、重心移動、荷重がかかるとストッパーがかかり、荷重ゼロの場合フリー可動する。【選択図】図１
2007117685.tif 000002
【特許請求の範囲】
【請求項１】
アジャスター付腰板Ａ（１）を回転軸（２）に固定具（３）により、取付け高さ調整の為ストッパー（４）を設け、サイドフレーム（５）の上部にある回転軸インサート用ジョイント部（７）に、インサートする、アジャスター付腰板Ａ（１）は、取外し可能でサイドフレーム（５）の前後スライド用スライドレール（６）を固定し、その内部にサイドフレーム（５）をスライド設置する、荷重がスライドレール（６）にかかるとストッパーが作用する、サイドフレーム（５）内側面に折りたたみ式フットレスト（１１）を備えた、立ち姿勢、応対接客の為の重心移動補助器具。
【請求項２】
腰板Ｂ（９）は、可動部（８）と継ぎ部（１０）に分かれ角度調整ができ、でん部を支持する特徴を備えた、立ち姿勢、応対接客の為の重心移動補助器具の簡易座付き腰板。
【発明の詳細な説明】
【技術分野】
【０００１】本発明は、立ち姿勢での応対接客作業マナー向上、並びに作業の迅速化、及び身体へかかる負担の軽減に関するものである。
【背景技術】
【０００２】従来の窓口や受付カウンター接客業務は殆んどが、座ったままの作業となっている、しかしながら今日、心のこもった接客及び迅速な対応を要求されているのが現状である、その第一段階として、立ち作業によるホスピタリティの向上である、この際発生する問題が、長時間の立ち作業が原因の足腰への負担、ストレス過多による悪循環である、これの解決手段として現在までにある、ハイチェアーや、公開番号  特許公開２０００−２７９２７１などの座るといった動作では解消できない、本発明においては座るのではなく、腰部のみ寄りかかる動作で次動作への円滑及び迅速な作業性の向上、並びに足腰への負担の軽減につながると考えました。
【発明の開示】
【発明が解消しようとする課題】
【０００３】イ．接客応対において、立ったままでのお出迎えが出来ていない、心のこもった接客ホスピタリティーに欠けていた。
ロ．座った作業では、立つ、座る、の作業が無駄であった。
ハ．スペースの有効利用が出来ていなかった。
二．カウンターテーブルの高さによっては防犯性に欠けていた、特に金銭の授受や、個人情報書類関係の受け取る場所場面がある所では。
ホ．立ったままでは、足腰の負担が多かった。
【課題を解決するための手段】
【０００４】図１のようにアジャスター付腰板Ａ（１）を回転軸に固定具（３）により、取付け高さ調整の為ストッパー（４）を設け、サイドフレーム（５）の上部にある回転軸インサート用ジョイント部（７）に、インサートする、アジャスター付腰板Ａ（１）は、取外し可能でサイドフレーム（５）の前後スライド用スライドレール（６）を固定し、その内部にサイドフレーム（５）をスライド設置する、荷重がスライドレール（６）にかかるとストッパーが作用する、サイドフレーム（５）内側面に折りたたみ式フットレスト（１１）を備え腰板Ｂ（９）との入れ替も可能、立ち姿勢、応対接客の為の重心移動補助器具
【０００５】図４の立ち姿での接客をすることで、お客様へ好印象を与える、腰板Ａ（１）で使用者の腰の位置に調整し、デスクでの作業を行う場合、腰にそれをあてる、もしくは寄りかかる事で座るとゆう動作が無くなり従来の椅子に要したスペースの削減になる、サイドフレーム（５）を、ワンアームで使用するので足回りも広く取れ空間の有効利用が出来るようになる、立ち作業接客によりカウンターが必然的に高くなる、このことが防犯性の向上にもつながる、しかしこの場合、老人子供用窓口も必要、図５のように腰板Ａ（１）を回転させることで次動作への円滑性を高めることが出来る。図４のように腰を腰板Ａ（１）につけて寄りかかった状態にすると、重心が移動し足腰への負担が軽減される。
【発明を実施するための最良の形態】
【０００６】図６の部品構成図により実施の形態を説明する。（１）の腰板Ａに腰の形状にあわせることができるようアジャスターを取付、固定具にて回転軸に取り付ける、サイドフレーム（５）は反発力のある金物にて製作、下部にスライドレールにスライドさせるための部品を設置しフットレスト及びスライドストップ用器具も取付ける、上部は、腰板Ａの回転軸を差し込む為のジョイント部（７）を設置する、スライドレール（６）は床面に固定しサイドフレーム（５）の安定とスライドを可能にする。
【実施例】
【０００７】官庁関係窓口、銀行証券会社等の接客を必要とし、尚且つ立ち作業の方が効率適な作業となる場所や立ち作業のみの場所においても使用可能である。
［書類名］  図面の説明
【図面の簡単な説明】
【図１】立ち姿勢応対接客の為の重心移動補助器具の立体図
【図２】立ち姿勢応対接客の為の重心移動補助器具の側面図。腰板Ｂの詳細図
【図３】立ち姿勢応対接客の為の重心移動補助器具の折りたたみ式フットレスト指示図
【図４】立ち姿勢応対接客の為の重心移動補助器具の使用側面図
【図５】立ち姿勢応対接客の為の重心移動補助器具の腰板部可動図
【図６】立ち姿勢応対接客の為の重心移動補助器具の部品展開図
【符号の説明】
１  腰板Ａ
２  回転軸
３  固定具
４  伸縮用ストッパー
５  サイドフレーム
６  スライドレール
７  ジョイント部
８  可動部
９  腰板Ｂ
１０継ぎ部
１１折りたたみ式フットレスト
【図１】
2007117685.tif 000003
【図２】
2007117685.tif 000004
【図３】
2007117685.tif 000005
【図４】
2007117685.tif 000006
【図５】
2007117685.tif 000007
【図６】
2007117685.tif 000008